(57)【要約】 【課題】ウォームミングアップ時間の短縮化の妨げにならないようにして、また、熱エネルギーの効率的利用を妨げないようにして、定着回転体の局部的な過昇温を抑制しつつトナー像定着処理を各種記録媒体サイズに対応して良好に行える定着装置及び該定着装置を備えた画像形成装置を提供する。【解決手段】定着回転体７１、加圧回転体７２と、定着回転体７１を加熱する左右のヒータランプＨ１１、Ｈ１２とを含んでおり、トナー像を担持した記録媒体Ｐを両回転体のニップ部Ｎに通すことでトナー像を定着させる定着装置７ある。ヒータランプＨ１１、Ｈ１２は放熱量が左側から右側へ、また、右側から左側へそれぞれ次第に減少する配熱分布を有するヒータランプであり、放熱量変化がいずれも同じヒータランプであり、両ヒータランプＨ１１、Ｈ１２は、放熱量の大きい部分を相対的に接近させ又は離すように相対的位置の調節が可能である。画像形成装置Ａはこの定着装置７を備えている。【選択図】図３
2009175494.tif 000002
【特許請求の範囲】
【請求項１】
定着回転体と、該定着回転体との間にニップ部を形成する加圧回転体と、該定着回転体の表面移動方向を横切る左右方向に延在して該定着回転体を加熱するヒータランプとを含んでおり、トナー像を担持した記録媒体を該ニップ部に通すことで該トナー像を該記録媒体に加熱加圧下に定着させる定着装置あり、
前記ヒータランプとして、放熱量が左側から右側へ次第に減少する配熱分布を有する左側ヒータランプと、放熱量が右側から左側へ次第に減少する配熱分布を有する右側ヒータランプとを備えており、該左側及び右側のヒータランプは、左右長手方向における大きい放熱量部分から小さい放熱量部分へ至る放熱量変化がいずれも同じヒータランプであり、  該左側ヒータランプ及び右側ヒータランプは、左側ヒータランプの放熱量の大きい左側部分と右側ヒータランプの放熱量の大きい右側部分とが相対的に接近し又は離れるように相対的位置の調節が可能であることを特徴とする定着装置。
【請求項２】
記録媒体を前記ニップ部に通過させるときの記録媒体通し基準として中央基準が採用されており、前記左側ヒータランプ及び右側ヒータランプのいずれもが、該ヒータランプの左右長手方向において位置調節可能であり、且つ、左側ヒータランプの放熱量の大きい左側部分と右側ヒータランプの放熱量の大きい右側部分とが互いに接近し又は離れるように等しい移動量による位置調節が可能である請求項１記載の定着装置。
【請求項３】
記録媒体を前記ニップ部に通過させるときの記録媒体通し基準として片側基準が採用されており、前記左側ヒータランプ及び右側ヒータランプのうちいずれか一方が該ヒータランプの左右長手方向において位置調節可能であり、且つ、左側ヒータランプの放熱量の大きい左側部分と右側ヒータランプの放熱量の大きい右側部分とが相対的に接近し又は離れるように位置調節が可能である請求項１記載の定着装置。
【請求項４】
前記ヒータランプのうち少なくとも一本のヒータランプは、通電のためのリード線が該ヒータランプの左右端部のうちいずれか一方の端部のみから配線されている請求項１、２又は３記載の定着装置。
【請求項５】
前記ヒータランプのうち位置調節のために動かされるべきヒータランプに対して該ヒータランプの位置調節のためのリニア駆動機構が設けられている請求項１から４のいずれか一項に記載の定着装置。
【請求項６】
静電潜像担持体に目的とする画像に応じた静電潜像を形成し、該静電潜像を現像してトナー像とし、該トナー像を記録媒体に転写し、該転写されたトナー像を定着装置で該記録媒体に定着させることができる画像形成装置であり、該定着装置として請求項１から５のいずれかに記載の定着装置を備えていることを特徴とする画像形成装置。
【発明の詳細な説明】
【技術分野】
【０００１】
本発明は、静電潜像担持体に目的とする画像に応じた静電潜像を形成し、該静電潜像を現像してトナー像とし、該トナー像を記録媒体に転写し、該転写トナー像を定着装置で記録媒体に定着させることができる複写機、プリンタ、ファクシミリ機、これらのうち２以上を組み合わせた複合機等の画像形成装置で用いられる該定着装置に関し、該画像形成装置にも関係している。
【背景技術】
【０００２】
静電潜像担持体に目的とする画像に応じた静電潜像を形成し、該静電潜像を現像してトナー像とし、該トナー像を記録媒体に転写し、該転写されたトナー像を定着装置で該記録媒体に定着させることができる画像形成装置で用いられる定着装置は、これまで様々のタイプのものが提案され、実用に供されてきた。
【０００３】
その一つとして、定着回転体と、該定着回転体との間にニップ部を形成する加圧回転体と、該定着回転体の表面移動方向を横切る左右方向に延在して該定着回転体を加熱するヒータランプとを含んでおり、トナー像を担持した記録媒体を該ニップ部に通すことで該トナー像を該記録媒体に加熱加圧下に定着させるタイプの定着装置が知られている。
該ヒータランプとしてはハロゲンヒータランプや赤外線（これには遠赤外線も含まれる）を放射するセラミックヒータ等が知られている。
【０００４】
このタイプの定着装置の代表的なものの一つは、定着回転体がローラ形態のもの（定着ローラ）であり、該定着ローラにヒータランプが挿入されており、加圧回転体も通常ローラ形態のもの（加圧ローラ）である。
【０００５】
このほか、定着回転体が加熱ローラと定着用ローラに巻き掛けられた定着ベルトであり、加圧回転体（通常と加圧ローラ）が該定着ベルトの該定着用ローラに巻き掛けられた部分との間に定着用ニップ部を形成するものもある。ヒータランプは通常、少なくとも、ベルトを巻き掛けた加熱ローラに挿入される。
【０００６】
いずれにしてもこのような定着装置において、ヒータランプの左右長手方向における輻射熱放出量の分布（以下、「配熱分布」或いは「配光分布」ということがある。）が均一なものでは、ヒータランプの左右方向の有効発熱幅より小さい幅の、多数枚の小サイズ記録媒体を連続的に前記ニップ部に通過させてそれら記録媒体にトナー像を定着させる場合、記録媒体に接触する前記の定着ローラ或いは定着ベルト等の定着回転体の部分から熱が奪われ、該定着回転体部分の温度がトナー像定着に要求される定着温度より低下してくる。
【０００７】
そこで、該定着回転体部分を定着温度に維持するために、ヒータランプの放熱量が調整されるのであるが、その調整は、ヒータランプ全体にわたって等しく行われてしまうので、定着回転体の小サイズ記録媒体に接触する部分の外側の部分が過昇温し、該外側部分が熱破損する等の好ましくない事態が発生する恐れがある。
【０００８】
このように小サイズ記録媒体を連続的に通過させると記録媒体に接触する定着回転体部分の温度が低下し、また、その温度低下を抑制するためにヒータランプの放熱量を増加させると、定着回転体の小サイズ記録媒体に接触する部分の外側の部分が過昇温するという傾向は、特に、画像形成装置の使い良さのために求められる定着装置のウォームアップ時間（加熱開始から所定温度への立ち上げに要する時間）短縮のために低熱容量化された定着回転体について顕著に見られる。
【０００９】
定着回転体の熱容量を小さくすると、定着回転体において熱移動が少なくなるため、小サイズの記録媒体を連続的に通したとき、小サイズ記録媒体の通過部分の外側で熱が蓄積され、その部分が高温になりすぎ、その部分の破壊につながる問題が起こる。
【００１０】
そこで、例えば特開平５−３４１６８５号公報には、定着ローラの端部から該ローラ内へ筒状の熱反射鏡を挿入できるようにし、小サイズ記録媒体にトナー像定着処理を施すときには、該熱反射鏡を定着ローラ内へ挿入して、小サイズ記録媒体幅の外側に対応するヒータランプ部分と定着ローラ内面との間に配置することが記載されている。
【００１１】
また、同公報には、配光分布が定着ローラの左右幅の略全体にわたり均一なヒータランプと、配光分布が定着ローラの左右のいずれかに偏ったヒータランプとを用い、大サイズ記録媒体に対しては、配光分布が定着ローラの左右幅の略全体にわたり均一なヒータランプを点灯させ、小サイズ記録媒体に対しては、配光分布が片側に偏ったヒータランプを点灯させること等も記載されている。
【００１２】
以上のほか、従来においては、(1) 全幅に配光をもつヒータと、(2) 中央部のみに配光があるヒータの２種類のヒータを持ち、記録媒体サイズに応じて、これら(1) 、(2) のヒータのうちどちらかを使用する定着装置や、(3) 中央部のみに配光があるヒータと、(4) 両端部にのみ配光があるヒータの２種類のヒータを持ち、記録媒体のサイズに応じてこれら(3) のヒータ及び(4) のヒータを共に用いるか、又は(3) のヒータのみを用いる定着装置もある。
【００１３】
【特許文献１】特開平５−３４１６８５号公報
【発明の開示】
【発明が解決しようとする課題】
【００１４】
しかしながら、特開平５−３４１６８５号公報に記載されているように、定着ローラ端部の過昇温を防止するために該ローラ内へ筒状の熱反射鏡を挿入してローラ内面とヒータランプ端部との間に配置するのでは、ヒータランプから発生した熱エネルギーを一部無駄にすることになり、エネルギーの利用効率が悪くなる。
【００１５】
また、特開平５−３４１６８５号公報に記載されているものを含め、配光の異なる複数のヒータランプを設けておき、これらヒータランプを記録媒体サイズや定着回転体端部の温度等に応じて適宜切り替え使用するときは、様々な記録媒体サイズにに対応し切れず、一部のサイズの記録媒体については、通し枚数に制限を加えたり、一定時間内に通過させる枚数を下げるなどして対応せざるを得ない。
【００１６】
配光を変えたヒータランプの本数を増やせばそれだけ対応できる記録媒体サイズは多くなるが、ヒータランプ収容のために定着回転体が大きくなってしまうため、それだけ定着回転体の熱容量が大きくなり、ウォームアップ短縮が困難になる。
【００１７】
そこで本発明は、定着回転体と、該定着回転体との間にニップ部を形成する加圧回転体と、該定着回転体の表面移動方向を横切る左右方向に延在して該定着回転体を加熱するヒータランプとを含んでおり、トナー像を担持した記録媒体を該ニップ部に通すことで該トナー像を該記録媒体に加熱加圧下に定着させる定着装置であって、ウォームミングアップ時間の短縮化の妨げにならないようにして、また、熱エネルギーの効率的利用を妨げないようにして、定着回転体の局部的な過昇温を抑制しつつトナー像の記録媒体への定着処理を各種記録媒体サイズに対応して良好に行える定着装置を提供することを第１の課題とする。
【００１８】
また本発明は、静電潜像担持体に目的とする画像に応じた静電潜像を形成し、該静電潜像を現像してトナー像とし、該トナー像を記録媒体に転写し、該転写されたトナー像を定着装置で該記録媒体に定着させることができる画像形成装置であって、定着装置において、ウォームミングアップ時間の短縮化の妨げにならないようにして、また、熱エネルギーの効率的利用を妨げないようにして、定着回転体の局部的な過昇温を抑制しつつトナー像の記録媒体への定着処理を各種記録媒体サイズに対応して良好に行うことができ、それだけ支障無く良好な画像形成を行える画像形成装置を提供することを第２の課題とする。
【課題を解決するための手段】
【００１９】
本発明は、前記第１の課題を解決するため次の定着装置を提供する。
（１）定着装置
定着回転体と、該定着回転体との間にニップ部を形成する加圧回転体と、該定着回転体の表面移動方向を横切る左右方向に延在して該定着回転体を加熱するヒータランプとを含んでおり、トナー像を担持した記録媒体を該ニップ部に通すことで該トナー像を該記録媒体に加熱加圧下に定着させる定着装置あり、
前記ヒータランプとして、放熱量が左側から右側へ次第に減少する配熱分布を有する左側ヒータランプと、放熱量が右側から左側へ次第に減少する配熱分布を有する右側ヒータランプとを備えており、該左側及び右側のヒータランプは、左右長手方向における大きい放熱量部分から小さい放熱量部分へ至る放熱量変化がいずれも同じヒータランプであり、  該左側ヒータランプ及び右側ヒータランプは、左側ヒータランプの放熱量の大きい左側部分と右側ヒータランプの放熱量の大きい右側部分とが相対的に接近し又は離れるように相対的位置の調整が可能である定着装置。
【００２０】
また本発明は、前記第２の課題を解決するため次の画像形成装置を提供する。
（２）画像形成装置
静電潜像担持体に目的とする画像に応じた静電潜像を形成し、該静電潜像を現像してトナー像とし、該トナー像を記録媒体に転写し、該転写されたトナー像を定着装置で該記録媒体に定着させることができる画像形成装置であり、該定着装置として本発明に係る定着装置を備えている画像形成装置。
【００２１】
ここで「ヒータランプ」とは、一般的に言えば、棒状や面状の発熱体で、該発熱体の発光（赤外線、遠赤外線の放射）により熱輻射するものである。該ヒータランプとしては、(1) バルブと呼ばれる管状外殻の中に金属線ヒータが内蔵されたもの、(2) バルブと呼ばれる管状外殻の中に、合成樹脂などに導電性粒子であるカーボンブラックが充填混入されたものが内蔵されたもの、(3) 導電性セラミックを発熱させるものなどを例示でき、より具体的には、ハロゲンランプヒータ、カーボンヒータ、セラミックヒータなどを例示できる。
【００２２】
いずれにしても、本発明に係る定着装置によると、左側ヒータランプは放熱量が左側から右側へ次第に減少する配熱分布を有するヒータランプであり、右側ヒータランプは放熱量が右側から左側へ次第に減少する配熱分布を有するヒータランプである。換言すれば、左側ヒータランプは左右方向の単位長さあたりの放熱量が左側から右側へ次第に減少する配熱分布を有するヒータランプであり、右側ヒータランプは左右方向の単位長さあたりの放熱量が右側から左側へ次第に減少する配熱分布を有するヒータランプである。
【００２３】
そして、該左側及び右側のヒータランプは、左右長手方向における大きい放熱量部分から小さい放熱量部分へ至る放熱量変化がいずれも同じヒータランプである。従って、左側及び右側のヒータランプは全体として配熱分布が左右対称状になっている。
【００２４】
さらに、該左側ヒータランプ及び右側ヒータランプは、左側ヒータランプの放熱量の大きい左側部分と右側ヒータランプの放熱量の大きい右側部分とが（換言すれば、左側ヒータランプの放熱量の小さい右側部分と右側ヒータランプの放熱量の小さい左側部分とが）相対的に接近し又は離れるように相対的位置の調整が可能である。
【００２５】
従って、左側ヒータランプ及び右側ヒータランプの相対的位置を、(1) 定着回転体と加圧回転体間のニップ部における左右端間のいずれの位置に記録媒体左右方向幅におけるいずれの部分を揃えて該記録媒体を該ニップ部に通過させるのかに応じて（中央基準か、片側基準か等に応じて）、さらに、(2) 該記録媒体の該左右方向幅の大きさに応じて調整し、
それにより該ニップ部に通過させようとする記録媒体の左右方向幅に対応する定着回転体の定着用部分が均一に加熱されるようにするとともに、該定着用部分の温度をトナー像の該記録媒体への定着が可能な温度に制御可能とする一方、該定着回転体の該定着用部分より外側部分については該定着用部分より低温に維持することができる。
【００２６】
若干見方を変えて言えば、定着装置の定着回転体と加圧回転体との間のニップ部に通すトナー像定着対象の記録媒体の左右方向幅の大きさに応じて、左側ヒータランプの左側の放熱量が最大である部分が該ニップ部を通過する記録媒体の左側縁位置に対応し、右側ヒータランプの右側の放熱量が最大である部分が該ニップ部を通過する記録媒体の右側縁位置に対応するように両ヒータランプの相対的位置の調整が可能である。
【００２７】
そしてそのように左側及び右側ヒータランプを相対的に位置調整することで、記録媒体のサイズ（左右方向幅の大きさ）に応じて、該記録媒体の左右方向幅に対応する定着回転体の定着用部分が均一に加熱されるようにするとともに、該定着用部分の温度をトナー像の該記録媒体への定着が可能な温度に制御可能として記録媒体へのトナー像定着処理を良好に行えるようにしつつ、該定着回転体部分より外側の定着回転体部分については、ヒータランプの放熱量が最大の部分より放熱量が小さい部分に対応させ、トナー像定着温度に対し低温に維持しておくことができる。
【００２８】
かくして、記録媒体が接触する定着回転体部分の外側の定着回転体部分の過昇温、ひいては、該過昇温による定着回転体の破損等の好ましくない事態発生を抑制することができ、そのように定着回転体の局部的な過昇温を抑制しつつ、トナー像の記録媒体への定着処理を各種記録媒体サイズに対応して良好に行うことができる。
【００２９】
本発明に係る定着装置においては、前記の特開平５−３４１６８５号公報に記載されているようにヒータランプの一部を記録媒体サイズに応じて熱反射鏡で覆う必要はなく、ヒータランプからの発熱の効率的利用を妨げることなく、定着回転体の局部的な過昇温を抑制でき、そのように定着回転体の局部的な過昇温を抑制しつつ、トナー像の記録媒体への定着処理を各種記録媒体サイズに対応して良好に行うことができる。
また、本発明に係る定着装置によると、従来のように一部の記録媒体については通し枚数に制限を加えたり、一定時間内に通過させる枚数を下げるなどして画像生産性を低下させなくても、定着回転体の局部的な過昇温を抑制できる。
【００３０】
本発明に係る定着装置において、左側ヒータランプは一本のヒータランプからなっていてもよいし、複数本のヒータランプの群れからなっていてもよい。右側ヒータランプについても同様である。
しかし、左側や右側のヒータランプを複数本のヒータランプの群れから構成する場合でも、その本数を多くする必要はない。このようなことから、定着回転体をヒータランプ収容のために格別大型化して、その熱容量の増大、ひいては定着装置のウォームアップ時間の増大を招くようなことはしなくてよく、定着装置のウォームアップ時間短縮を格別妨げることなく、定着回転体の局部的な過昇温を抑制することができる。
【００３１】
なお、上述のように本発明に係る定着装置においては、左側ヒータランプは一本のヒータランプからなっていてもよいし、複数本のヒータランプの群れからなっていてもよく、右側ヒータランプについても同様であが、いずれにしても、左側ヒータランプは、その全体として、放熱量が左側から右側へ次第に減少する配熱分布を有するものとし、右側ヒータランプは、その全体として、放熱量が右側から左側へ次第に減少する配熱分布を有するものとする。さらに、該左側及び右側のヒータランプは、左側ヒータランプ全体として、また、右側ヒータランプヒータ全体として、左右長手方向における大きい放熱量部分から小さい放熱量部分へ至る放熱量変化がいずれも同じ（同じとみなして差し支えない、略同じ場合も含む）ヒータランプとする。
【００３２】
本発明に係る画像形成装置は、定着装置として本発明に係る定着装置を採用しているので、該定着装置においてウォームミングアップ時間の短縮化の妨げにならないようにして、また、熱エネルギーの効率的利用を妨げ内ようにして、定着回転体の局部的な過昇温を抑制しつつトナー像の記録媒体への定着処理を各種記録媒体サイズに対応して良好に行うことができ、それだけ支障無く良好な画像形成を行える。
【００３３】
本発明に係る定着装置においては、記録媒体を前記ニップ部に通過させるときの記録媒体通し基準として、例えば中央基準が採用されるものでも、片側基準が採用されるものでもいずれでもよい。
【００３４】
ここで「中央基準」とは、記録媒体の搬送方向を横切る左右方向の幅の中央を予め定めた前記ニップ部における左右端間の中央基準位置に揃えて該記録媒体を該ニップ部に通過させる記録媒体の通し基準であり、
「片側基準」とは、記録媒体の搬送方向を横切る左右方向の幅の片側端縁部を予め定めた前記ニップ部における左右端間の左寄り又は右寄りの片側基準位置に揃えて該記録媒体を前記ニップ部に通過させる記録媒体の通し基準であり、
いずれも、記録媒体上にトナー画像を形成する画像形成装置における定着装置において一般的に採用されている記録媒体通し基準である。
【００３５】
中央基準が採用される定着装置の場合、前記左側ヒータランプ及び右側ヒータランプのいずれもが、該ヒータランプの左右長手方向において位置調整可能であり、且つ、左側ヒータランプの放熱量の大きい左側部分と右側ヒータランプの放熱量の大きい右側部分とが互いに接近し又は離れるように等しい移動量による位置調整が可能であるようにすることができる。
【００３６】
また、片側基準が採用される定着装置の場合、前記左側ヒータランプ及び右側ヒータランプのうちいずれか一方が該ヒータランプの左右長手方向において位置調整可能であり、且つ、左側ヒータランプの放熱量の大きい左側部分と右側ヒータランプの放熱量の大きい右側部分とが相対的に接近し又は離れるように位置調整が可能であるようにすることができる。
【００３７】
いずれにしても本発明に係る定着装置においては、前記ヒータランプのうち少なくとも一本のヒータランプ（全てのヒータランプでもよい）は、通電のためのリード線が該ヒータランプの左右端部のうちいずれか一方の端部のみから配線されていることが好ましい。  これにより定着装置をそれだけ組み立てやすく、また、コンパクト化できる。
本発明に係る定着装置において前記ヒータランプは手動で位置調整できるようになっていてもよいが、前記ヒータランプのうち位置調整のために動かされるべきヒータランプに対して該ヒータランプの位置調整のためのリニア駆動機構が設けられていてもよい。
【発明の効果】
【００３８】
本発明によると、定着回転体と、該定着回転体との間にニップ部を形成する加圧回転体と、該定着回転体の表面移動方向を横切る左右方向に延在して該定着回転体を加熱するヒータランプとを含んでおり、トナー像を担持した記録媒体を該ニップ部に通すことで該トナー像を該記録媒体に加熱加圧下に定着させる定着装置であって、ウォームミングアップ時間の短縮化の妨げにならないようにして、また、熱エネルギーの効率的利用を妨げないようにして、定着回転体の局部的な過昇温を抑制しつつトナー像の記録媒体への定着処理を各種記録媒体サイズに対応して良好に行える定着装置を提供することができる。
【００３９】
また本発明によると、静電潜像担持体に目的とする画像に応じた静電潜像を形成し、該静電潜像を現像してトナー像とし、該トナー像を記録媒体に転写し、該転写されたトナー像を定着装置で該記録媒体に定着させることができる画像形成装置であって、定着装置において、ウォームミングアップ時間の短縮化の妨げにならないようにして、また、熱エネルギーの効率的利用を妨げないようにして、定着回転体の局部的な過昇温を抑制しつつトナー像の記録媒体への定着処理を各種記録媒体サイズに対応して良好に行うことができ、それだけ支障無く良好な画像形成を行える画像形成装置を提供することができる。
【発明を実施するための最良の形態】
【００４０】
以下、本発明の実施形態について図面を参照して説明する。
図１は本発明に係る画像形成装置例Ａの正面図である。
図１に示す画像形成装置は、画像読取装置Ｓを備えた複写機であるが、ファクシミリ機の機能及びコンピュータ等から供給される画像情報に応じてプリントするプリンタ機能も併せ持つ。
【００４１】
図１の画像形成装置Ａは、画像形成を行う部分Ｂ及びその下の記録媒体収容カセットＣ１〜Ｃ４を有する部分ＣＳを含んでいる。画像読取装置Ｓは画像形成を行う部分Ｂの上方に位置している。画像読取装置Ｓには原稿自動搬送装置ＡＤＦ及び操作パネルＰＡが搭載されている。
【００４２】
搬送装置ＡＤＦは開閉可能で、画像読取装置Ｓの原稿載置台であるガラス板ｇ１上に配置される原稿を覆うカバーを兼ねている。
操作パネルＰＡには、複写画像形成やファクシミリ送信等の指示を行うスタートキー、画像形成枚数等を設定するテンキー等のキー群Ｋｅ等のほか、液晶表示部Ｄも搭載されている。液晶表示部Ｄは、ユーザによるキー操作を反映表示したり、ユーザへの指示メニューを表示したり、画像形成を行う部分Ｂ等からの情報を表示する等に用いられる。
【００４３】
画像読取装置Ｓは原稿台ガラスｇ１上に静止配置される原稿の画像を光学的に読み取ることができるほか、原稿自動搬送装置ＡＤＦにてその原稿載置トレイａ１から搬送され、原稿排出トレイａ２へ排出され、その途中で画像読取装置Ｓの原稿流し撮り用ガラス板ｇ２に沿って移動する原稿の画像を光学的に読み取ることもできる。
【００４４】
画像読取装置Ｓで読み取られた画像のデータは画像形成を行う部分Ｂへ送られ、そこでの画像形成に供されるか、或いはフアクシミリ送信に供される。図示省略のコンピュータ等から送信されてくる画像データは画像形成を行う部分Ｂへ送られ、そこでの画像形成に供される。
【００４５】
画像形成を行う部分Ｂは電子写真方式により記録媒体上にトナー画像を形成するものである。本例の画像形成を行う部分Ｂは、イエロー画像形成部Ｙ、マゼンタ画像形成部Ｍ、シアン画像形成部Ｃ及びブラック画像形成部Ｋを中間転写ベルト４に沿って配列し、各画像形成部により形成されるトナー像を中間転写ベルト４に１次転写し、ベルト４上に重ねて１次転写された多重トナー像をいずれかのカセットから供給される記録媒体（記録紙等）Ｐに２次転写し、定着装置７で定着させてカラー画像を得ることができるタンデム型カラー画像形成部分である。トナー画像が定着された記録媒体Ｐは排出トレイＴに排出される。
【００４６】
画像形成を行う部分Ｂはモノクロ画像を形成することもできるし、いずれか二つ又は三つの画像形成部を用いて画像形成することもできる。
【００４７】
画像形成を行う部分Ｂについて図２を参照してさらに説明する。
部分Ｂには、前記のとおり中間転写ベルト４を有しており、該ベルト４は駆動ローラ３１とこれに対向するローラ３２に巻き掛けられ、駆動ローラ３１が図示省略のベルト駆動部により駆動されることで図中反時計方向（図中矢印方向）に回転することができる。
【００４８】
対向ローラ３２上の転写ベルト部分には転写ベルト４上の２次転写残トナー等を清掃するクリーナ４０が臨んでいる。駆動ローラ３１上の転写ベルト部分には、２次転写ローラ５が臨んでいる。
【００４９】
２次転写ローラ５は中間転写ベルト４との間にニップ部を形成し、中間転写ベルト４の回転に従動して、或いは、後述するように該ニップ部に送り込まれる記録媒体Ｐの移動に従動して回転する。２次転写ローラ５には、図示省略の２次転写バイアス電源から２次転写バイアスを印加することができる。
【００５０】
２次転写ローラ５の下方には、タイミングローラ６が配置されており、さらにその下方に、既述の記録媒体収容カセット群がある。
２次転写ローラ５の上方には既述の定着装置７が配置されている。
定着装置７については後ほどさらに詳述する。
【００５１】
中間転写ベルト４を巻き掛けたローラ３１、３２の間には、転写ベルト４に沿って、ローラ３２から３１に向けて、既述のイエロー画像形成部Ｙ、マゼンタ画像形成部Ｍ、シアン画像形成部Ｃ及びブラック画像形成部Ｋがこの順序で配置されている。
【００５２】
Ｙ、Ｍ、Ｃ、Ｋの各画像形成部は、ドラム型の感光体１１を備えており、該感光体の周囲に帯電器１２、画像露光装置１３、現像器１４、１次転写ローラ２、感光体上の１次転写残トナー等を除去清掃するクリーニング装置１５等がこの順序で配置されている。
【００５３】
各画像形成部においては、感光体１１、帯電器１２、現像器１４及びクリーニング装置１５を含むプロセスカートリッジが形成されている。すなわち、イエロー画像形成部Ｙを形成するためのイエロープロセスカートリッジＹＣ、マゼンタ画像形成部Ｍを形成するためのマゼンタプロセスカートリッジＭＣ、シアン画像形成部Ｃを形成するためのシアンプロセスカートリッジＣＣ、ブラック画像形成部Ｋを形成するためのブラックプロセスカートリッジＫＣである。
各プロセスカートリッジは複写機本体（部分Ｂの本体）に対し着脱可能である。
【００５４】
１次転写ローラ２は転写ベルト４を間にして感光体１１に対向しており、ベルトの走行に従動回転する。１次転写ローラ２には、感光体１１上に形成されるトナー像をベルト４へ１次転写するための１次転写バイアスを図示省略の１次転写バイアス電源から印加できる。
【００５５】
露光装置１３は、画像読取装置Ｓや図示省略のパーソナルコンピュータ等から提供される画像情報に応じて、レーザービームを用いて感光体１１に画像露光を施す。
【００５６】
各画像形成部における感光体１１は、ここでは負帯電性の有機感光体であり、図示省略の感光体駆動モータにて図中時計方向回りに回転駆動される。
各画像形成部における帯電器１２には、図示省略の帯電電源から所定のタイミングで帯電電圧を印加できる。
【００５７】
各画像形成部における現像器１４は、本例では、負帯電性トナーを採用するもので、感光体１１上に形成される静電潜像を、図示省略の現像バイアス電源から現像バイアス電圧が印加される現像ローラ１４１で反転現像することができる。
【００５８】
画像形成を行う部分Ｂでは、既述のとおりＹ、Ｍ、Ｃ、Ｋの画像形成部のうち１又は２以上を用いて画像を形成することができる。この画像形成は、画像形成装置Ａの動作を制御する図示省略の制御部の指示のもとに各部が所定のタイミングで動作することでなされる。該制御部には画像読取装置Ｓ、図示省略のパーソナルコンピュータ、フアクシミリ機等から画像形成部分Ｂで形成すべき画像の情報が入力される。
【００５９】
画像形成部Ｙ、Ｍ、Ｃ及びＫのすべてを用いてフルカラー画像を形成する場合を例にとると、先ず、イエロー画像形成部Ｙにおいてイエロートナー像を形成し、これを転写ベルト４に１次転写する。
【００６０】
すなわち、イエロー画像形成部Ｙにおいて、感光体１１が図中時計方向に回転駆動され、帯電器１２にて表面が一様に所定電位に帯電せしめられた感光体１１の該帯電域に画像露光装置１３からイエロー画像用の画像露光が施され、感光体１１上にイエロー用静電潜像が形成される。この静電潜像はイエロートナーを有する現像器１４の現像バイアスが印加された現像ローラ１４１にて現像されて可視イエロートナー像となり、該トナー像が１次転写ローラ２にて転写ベルト４上に１次転写される。このとき、１次転写ローラ２には図示省略の電源装置から１次転写バイアス電圧が印加される。
【００６１】
同様にして、マゼンタ画像形成部Ｍにおいてマゼンタトナー像が形成されて転写ベルト４に転写され、シアン画像形成部Ｃにおいてシアントナー像が形成されて転写ベルト４に転写され、ブラック画像形成部Ｋにおいてブラックトナー像が形成されて転写ベルト４に転写される。
【００６２】
イエロー、マゼンタ、シアン、ブラックのトナー像はこれらが中間転写ベルト４上に重ねて転写されるタイミングで形成される。転写ベルト４上に形成された多重トナー像は転写ベルト４の回動により２次転写ローラ５へ向け移動する。
【００６３】
一方、記録媒体Ｐがいずれかの記録媒体収容カセットから図示省略の媒体供給ローラにて引き出され、タイミングローラ６へ供給され、待機している。
【００６４】
タイミングローラ６のところで待機する記録媒体Ｐは、中間転写ベルト４にて送られてくる多重トナー像に合わせて転写ベルト４と２次転写ローラ５とのニップ部へ供給されるようにタイミングローラ６が記録媒体Ｐを搬送開始することで該ニップ部へ送り込まれ、図示省略の電源から２次転写バイアスが印加された２次転写ローラ５にて該多重トナー像が記録媒体Ｐ上に２次転写される。
【００６５】
その後記録媒体Ｐは定着装置７に通され、そこで多重トナー像が加熱加圧下に記録媒体Ｐに定着され、トレイＴへ排出される。中間転写ベルト４上に残留する転写残トナー等はクリーナ４０により除去清掃され、各画像形成部において感光体１１上に残留する転写残トナー等はクリーニング装置１５の感光体に接触するクリーニングブレードにより除去清掃される。
【００６６】
以上のようにして画像形成されるのであるが、ここで定着装置７についてさらに説明する。
定着装置７は、図３に示すように定着ローラ７１及び加圧ローラ７２を含んでいる。定着ローラ７１は、その片側端部に取り付けられた図示省略のギアを含むギア列を介して図示省略の駆動モータにより図３中反時計方向回りに回転駆動される。加圧ローラ７２は定着ローラ７１の方へ図示省略の押圧手段にて押圧され、定着ローラ７１との間に定着用ニップ部Ｎを形成する。加圧ローラ７２は該定着ローラの回転に従動回転することができる。
【００６７】
定着ローラ７１は筒状芯金７１１に弾性層７１２及び表層７１３を積層した３層構成のローラである。ここでは、外径が４０ｍｍ程度であり、芯金７１１は鉄系材料（例えばＳＴＫＭ１２種）で、厚み１．０ｍｍ程度に形成され、弾性層７１２はシリコーンゴム製で厚み２．５ｍｍ程度であり、ＪＩＳ硬度にして１度〜８０度、望ましくは５度〜３０度程度の硬度を有するものである。表層７１３はＰＦＡ（テトラフルオロエチレン−パーフルオロアルキルビニルエーテル共重合体）、ＰＴＦＥ（ポリテトラフルオロエチレン）、ＦＥＰ（６フッ化プロピレン・４フッ化エチレンコポリマー）、ＰＦＥＰ（テトラフルオロエチレン−ヘキサフルオロプロピレン共重合体）等のフッ素系樹脂で厚さ５μｍ〜１００μｍ程度に形成されている。しかし定着ローラ７１はこれに限定されるものではない。
【００６８】
加圧ローラ７２は筒状芯金７２１に弾性層７２２及び表層７２３を積層した３層構成のローラである。ここでは、芯金７２１は鉄系材料（例えばＳＴＫＭ１２種）で、厚み１．０ｍｍ程度に形成され、弾性層７２２はシリコーンゴム製で厚み１．５ｍｍ程度であり、ＪＩＳ硬度にして１度〜８０度、望ましくは５度〜３０度程度の硬度を有するものである。表層７２３はＰＦＡ、ＰＴＦＥ、ＦＥＰ、ＰＦＥＰ等のフッ素系樹脂で厚さ５μｍ〜１００μｍ程度に形成されている。しかし加圧ローラ７１はこれに限定されるものではない。
【００６９】
定着ローラ７１には図４及び図５にも示すように、定着ローラ７１の回転中心線と平行に左右方向に延在する左側ヒータランプＨ１１及び右側ヒータランプＨ１２が内蔵されている。
図４及び図５に示すように、左側ヒータランプＨ１１は定着ローラ７１の左端からローラ内へ挿入され、右側ヒータランプＨ１２は定着ローラ７１の右端からローラ内へ挿入されている。
【００７０】
ヒータランプＨ１１は左端部Ｅ１１で図示省略のランプホルダにて片持ち支持されており、ヒータランプＨ１２は右端部Ｅ１２でランプホルダ７０１（図８参照）にて片持ち支持されている。通電のためのリード線Ｌｉがそれらヒータランプの片持ち支持された片側端部Ｅ１１、Ｅ１２のみから配線されており、定着装置７はそれだけ組み立てやすく、また、コンパクト化されている。
【００７１】
なお、定着装置配置スペースの大きさの制約に余裕があれば、少なくとも一方のヒータランプについては、従来のように、該ヒータランプの両端部のそれぞれから一本ずつリード線を引き出してもよい。
【００７２】
加圧ローラ７２にも、加圧ローラ７２の回転中心線と平行に左右方向に延在するヒータランプＨ２が内蔵されている。
ヒータランプについては後ほどさらに説明する。
【００７３】
この定着装置７は中央基準の定着装置であり、記録媒体の搬送方向を横切る左右方向の幅の中央を、ニップ部Ｎにおける左右端間の中央基準位置に揃えて記録媒体を該ニップ部Ｎに通過させるものである。
【００７４】
図４には、最大サイズの記録媒体であるＡ３サイズ記録媒体を、その短い辺を記録媒体搬送方向を横切る左右方向幅（Ａ３Ｔ幅）としてニップ部Ｎに通過させる様子を示している。
図５には、Ａ４サイズの記録媒体を、その短い辺を記録媒体搬送方向を横切る左右方向幅（Ａ４Ｔ幅）としてニップ部Ｎに通過させる様子を示している。                          
【００７５】
ここで再びヒータランプＨ１１、Ｈ１２等について説明する。
それに限定される必要はないが、ここでの各ヒータランプはハロゲンヒータランプである。
図６及び図７に示すように、左側ヒータランプＨ１１は、左右方向の単位長さ当たりの放熱量が左側から右側へ次第に減少する配熱分布（換言すれば配光分布）を有するヒータランプであり、右側ヒータランプＨ１２は、左右方向の単位長さ当たりの放熱量が右側から左側へ次第に減少する配熱分布（換言すれば配光分布）を有するヒータランプである。      
【００７６】
ヒータランプＨ１１、Ｈ１２は、左右長手方向における大きい放熱量部分から小さい放熱量部分へ至る放熱量変化が、左右の向きの違いの点を除けば、同じ勾配で直線的に変化するヒータランプである。
従って、ヒータランプＨ１１とＨ１２とは、定着ローラ７１の左右幅の、換言すればニップ部Ｎの左右幅の中央を基準に左右対象の配光分布（配熱分布）を示している。
【００７７】
なお、加圧ローラ７２のヒータランプＨ２は、左右長手方向にわたって放熱量が均一な補助的なヒータランプである。このヒータランプＨ２は定着ローラ７１からニップ部Ｎを介して加圧ローラ７２へ熱が逃げ、それにより定着ローラ温度が低下する、或いは昇温し難くなることを抑制するための補助的なヒータランプである。
【００７８】
図８に示すように、ヒータランプＨ１２は、リニア駆動機構７００にて左右方向に往復直線駆動できるようになっている。このリニア駆動機構７００は、ヒータランプＨ１２の右端部Ｅ１２を保持するランプホルダ７０１、ホルダ７０１に取り付けたラックギア７０２、ラックギア７０２を支持して左右方向に往復直線移動可能のリニアステージ７０３、ラックギア７０２にかみ合うピニオンギア７０４及びピニオンギア７０４を正転逆転駆動可能のステッピングモータ７０５とを含んでいる。
ヒータランプＨ１１も同様のリニア駆動機構７００にて左右方向に往復直線駆動できる。
【００７９】
かくして、左右のリニア駆動機構７００にて、左側ヒータランプＨ１１及び右側ヒータランプＨ１２を、左側ヒータランプの放熱量の大きい左側部分と右側ヒータランプの放熱量の大きい右側部分とが相対的に接近し又は離れるように、相対的位置の調整が可能である。
【００８０】
従って、定着ローラ７１と加圧ローラ７２との間のニップ部Ｎに通すトナー像定着対象の記録媒体Ｐの左右方向幅（大サイズ記録媒体のＡ３Ｔ幅か、それより小サイズ記録媒体のＡ４Ｔ幅か等）の大きさに応じて、左側ヒータランプＨ１１の左側の放熱量が最大である部分がニップ部Ｎを通過する記録媒体Ｐの左側縁位置に対応し、右側ヒータランプＨ１２の右側の放熱量が最大である部分がニップ部Ｎを通過する記録媒体Ｐの右側縁位置に対応するように、両ヒータランプＨ１１、Ｈ１２の相対的位置の調整が可能である。
【００８１】
そしてそのように左側及び右側ヒータランプＨ１１、Ｈ１２を相対的に位置調整することで、記録媒体Ｐのサイズ（左右方向幅の大きさ）に応じて、該記録媒体が接触する定着ローラ７１の部分の温度を均一に、且つ、トナー像定着に要求される定着温度に制御できるようにして、該記録媒体Ｐへのトナー像定着処理を良好に行えるようにしつつ、定着ローラ７１の定着に寄与するその部分より外側の定着ローラ部分については、ランプヒータＨ１１、Ｈ１２の放熱量が最大の部分より放熱量が小さい部分に対応させて、トナー像定着温度に対し低温に維持することができる。
【００８２】
図４には、Ａ３サイズ記録媒体を、その短い辺を記録媒体搬送方向を横切る左右方向幅（Ａ３Ｔ幅）としてニップ部Ｎに通過させるときの左右のヒータランプＨ１１、Ｈ１２の相対的配置状態を示しており、図６はこのときの、左右ヒータランプＨ１１、Ｈ１２による定着ローラ７１に対する総配光分布（換言すれば合成配熱分布）を示している。この総配光分布により、Ａ３サイズ記録媒体に対応する定着ローラ７１の部分は均一に加熱される一方、該定着ローラ部分より外側の定着ローラ部分は低温に維持され、過昇温が防止される。
【００８３】
図５には、Ａ４サイズ記録媒体を、その短い辺を記録媒体搬送方向を横切る左右方向幅（Ａ４Ｔ幅）としてニップ部Ｎに通過させるときの左右のヒータランプＨ１１、Ｈ１２の相対的配置状態を示しており、図７はこのときの、左右ヒータランプＨ１１、Ｈ１２による定着ローラ７１に対する総配光分布（換言すれば合成配熱分布）を示している。このとき、左右の各ヒータランプは、図４に示す状態から例えば略４５ｍｍ程度互いに反対方向へ等距離動かすことで、図５の配置を得るようにすればよい。
この総配光分布により、Ａ４サイズ記録媒体に対応する定着ローラ７１の部分は均一に加熱される一方、該定着ローラ部分より外側の定着ローラ部分は低温に維持され、過昇温が防止される。
【００８４】
図７に示す例では、記録媒体通過領域の熱量はＡ３サイズ記録媒体を通す場合に比べて約３０％向上することが分かる。従って、この例では、定着ヒータランプＨ１１、Ｈ１２のそれぞれの電力をデューティ制御などの手段を用いて、低電力化して使用することも可能である。これにより、省エネの効果も得られる。
【００８５】
以上、Ａ３サイズのＡ３Ｔ幅の記録媒体及びＡ４サイズのＡ４Ｔ幅の記録媒体にトナー像を定着する例について説明したが、このサイズ以外の記録媒体にトナー像を定着させるときには、その記録媒体サイズに応じて、左右のヒータランプＨ１１、Ｈ１２を等距離動かして両ヒータランプの相対的位置関係を調整すればよい。
【００８６】
いずれにしても、記録媒体にトナー像を定着させる定着ローラ７１の部分の温度はトナー像を定着させ得る定着温度に制御される。該温度制御は、例えば、定着ローラ７１の左右幅のうちいずれのサイズの記録媒体でも接触通過する部分（図３の例ではローラ７１の左右幅の中央部分あたり）の表面温度を温度センサ（ここではローラ７１に接触配置のサーミスタＴｓ１）で検出し、これにより検出された温度を図示省略の温調制御部に入力して該制御部に予め記憶させた所定のトナー像定着温度と比較させ、該制御部にて、両者の差分を無くす方向にヒータランプＨ１１、Ｈ１２のオン、オフを制御することで行われる。
【００８７】
加圧ローラ７２のヒータランプＨ２についても、該ローラ７２の表面温度を温度センサ（ここではローラ７２に接触配置のサーミスタＴｓ２）で検出し、これを温調制御部に入力して該制御部に予め記憶させた所定の加圧ローラ表面温度と比較させ、該制御部にて、両者の差分を無くす方向にヒータランプＨ２のオン、オフを制御することで行われる。
【００８８】
かくして、記録媒体Ｐが接触する定着ローラ７１の部分の外側の定着ローラ部分の過昇温、ひいては、該過昇温による定着ローラ７１の破損等の好ましくない事態発生を抑制することができ、そのように定着ローラ７１の局部的な過昇温を抑制しつつ、トナー像の記録媒体Ｐへの定着処理を各種記録媒体サイズに対応して良好に行うことができる。
【００８９】
ヒータランプの一部を記録媒体サイズに応じて熱反射鏡で覆う必要はなく、ヒータランプＨ１１、Ｈ１２からの発熱をそれだけ効率よく利用して、定着ローラ７１の局部的な過昇温を抑制でき、そのように定着ローラ７１の局部的な過昇温を抑制しつつ、トナー像の記録媒体Ｐへの定着処理を各種記録媒体サイズに対応して良好に行うことができる。
【００９０】
また、従来のように一部の定着装置のように、一部の記録媒体については通し枚数に制限を加えたり、一定時間内に通過させる枚数を下げるなどして画像生産性を低下させなくても、定着回転体の局部的な過昇温を抑制できる。
【００９１】
また、定着ローラ７１をヒータランプＨ１１、Ｈ１２の収容のために格別大型化して、その熱容量の増大、ひいては定着装置のウォームアップ時間の増大を招くようなことはしなくてよく、定着装置７のウォームアップ時間短縮を格別妨げることなく、定着ローラ７１の局部的な過昇温を抑制することができる。
【００９２】
以上、記録媒体通し基準が中央基準である定着装置７に関して説明したが、定着装置７は片側基準のもの、すなわち、ここでは、図９及び図１０に示すように、記録媒体Ｐの搬送方向を横切る左右方向の幅の左側縁を、ニップ部Ｎにおける左右端間の左寄りの基準位置に揃えて記録媒体を該ニップ部Ｎに通過させるものでもよい。
【００９３】
図９は、最大サイズの記録媒体であるＡ３サイズ記録媒体を、その短い辺を記録媒体搬送方向を横切る左右方向幅（Ａ３Ｔ幅）として片側基準でニップ部Ｎに通過させる様子を示している。
図１０は、Ａ４サイズの記録媒体を、その短い辺を記録媒体搬送方向を横切る左右方向幅（Ａ４Ｔ幅）として片側基準でニップ部Ｎに通過させる様子を示している。                
【００９４】
片側基準の定着装置の場合は、図示例のものでは、ヒータランプのリニア駆動装置７００が右側ヒータランプＨ１２に対してのみ設けられており、左側ヒータランプＨ１１に対しては省略される。その他の点は前記の中央基準の定着装置と実質上同じ構成である。
【００９５】
この片側基準の定着装置では、リニア駆動機構７００にて、右側ヒータランプＨ１２を駆動することで、左側ヒータランプＨ１１の放熱量の大きい左側部分と右側ヒータランプＨ１２の放熱量の大きい右側部分とが相対的に接近し又は離れるように、相対的位置の調整が可能である。
【００９６】
従って、片側基準の定着装置においても、定着ローラ７１と加圧ローラ７２との間のニップ部Ｎに通すトナー像定着対象の記録媒体Ｐの左右方向幅（大サイズ記録媒体のＡ３Ｔ幅か、それより小サイズ記録媒体のＡ４Ｔ幅か等）の大きさに応じて、左側ヒータランプＨ１１の左側の放熱量が最大である部分がニップ部Ｎを通過する記録媒体Ｐの左側縁位置に対応し、右側ヒータランプＨ１２の右側の放熱量が最大である部分がニップ部Ｎを通過する記録媒体Ｐの右側縁位置に対応するように、両ヒータランプＨ１１、Ｈ１２の相対的位置の調整が可能である。
【００９７】
そしてそのように左側及び右側ヒータランプＨ１１、Ｈ１２を相対的に位置調整することで、記録媒体Ｐのサイズ（左右方向幅の大きさ）に応じて、該記録媒体が接触する定着ローラ７１の部分の温度を均一に、且つ、トナー像定着に要求される定着温度に制御できるようにして、該記録媒体Ｐへのトナー像定着処理を良好に行えるようにしつつ、定着ローラ７１の定着に寄与するその部分より外側の定着ローラ部分については、ランプヒータＨ１１、Ｈ１２の放熱量が最大の部分より放熱量が小さい部分に対応させて、トナー像定着温度に対し低温に維持することができる。
【００９８】
図９には、Ａ３サイズ記録媒体を、その短い辺を記録媒体搬送方向を横切る左右方向幅（Ａ３Ｔ幅）としてニップ部Ｎに通過させるときの左右のヒータランプＨ１１、Ｈ１２の相対的配置状態を示している。このときの左右ヒータランプＨ１１、Ｈ１２による定着ローラ７１に対する総配光分布（換言すれば合成配熱分布）は、全体が左寄りとなる点を除けば、図６に示される総配光分布（換言すれば合成配熱分布）と同じである。
これにより、Ａ３サイズ記録媒体に対応する定着ローラ７１の部分は均一に加熱される一方、該定着ローラ部分より外側の定着ローラ部分は低温に維持され、過昇温が防止される。
【００９９】
図１０には、Ａ４サイズ記録媒体を、その短い辺を記録媒体搬送方向を横切る左右方向幅（Ａ４Ｔ幅）としてニップ部Ｎに通過させるときの左右のヒータランプＨ１１、Ｈ１２の相対的配置状態を示しており、図１１はこのときの、左右ヒータランプＨ１１、Ｈ１２による定着ローラ７１に対する総配光分布（換言すれば合成配熱分布）を示している。このとき、右側ヒータランプＨ１２は、図９に示す状態から例えば略９０ｍｍ程度左方向へ動かすことで、図１０の配置を得るようにすればよい。
【０１００】
この総配光分布により、Ａ４サイズ記録媒体に対応する定着ローラ７１の部分は均一に加熱される一方、該定着ローラ部分より外側の定着ローラ部分は低温に維持され、過昇温が防止される。
【０１０１】
図１１に示す例では、記録媒体通過領域の熱量はＡ３サイズ記録媒体を通す場合に比べて約３０％向上することが分かる。従って、この例でも、定着ヒータランプＨ１１、Ｈ１２のそれぞれの電力をデューティ制御などの手段を用いて、低電力化して使用することも可能である。これにより、省エネの効果も得られる。
以上、Ａ３サイズのＡ３Ｔ幅の記録媒体及びＡ４サイズのＡ４Ｔ幅の記録媒体にトナー像を定着する例について説明したが、このサイズ以外の記録媒体にトナー像を定着させるときには、その記録媒体サイズに応じて、右側ヒータランプＨ１２を動かして両ヒータランプの相対的位置関係を調整すればよい。
【０１０２】
以上説明した片側基準の定着装置においても、定着装置配置スペースの大きさの制約に余裕があれば、ランプＨ１１、Ｈ１２のうち少なくとも一方のヒータランプについては、従来のように、該ヒータランプの両端部のそれぞれから一本ずつリード線を引き出してもよい。また、特に動かさないヒータランプＨ１１については、定着装置配置スペースの大きさの制約に余裕があるのであれば、図１２に示すように、該ヒータランプの両端部のそれぞれから一本ずつリード線を引き出してもよい。
【０１０３】
以上説明した定着装置では、加圧ローラ７２にもヒータランプＨ２を設けたが、本発明に係る定着装置として、例えば、図１３に示すように加圧ローラにおけるヒータランプを省略し、代わりに、前記加圧ローラ７２の芯金７２上に、例えば厚さ３ｍｍ〜１０ｍｍ程度の断熱性のシリコンスポンジゴム層７２２’を設け、その上に前記加圧ローラ７２と同様のフッ素樹脂系の表層７２３を設けた加圧ローラ７２’を用いた定着装置７’も例示できる。
【０１０４】
また、本発明に係る定着装置は図１４に示すような定着装置７０であってもよい。
定着装置７０は、加熱ローラ７０１と定着用ローラ７０２とに無端の定着ベルト（定着回転体の例）７０３を巻き掛け、ローラ７０２に支持されたベルト部分に加圧ローラ７０４を押圧してニップ部を形成し、加熱ローラ７０１に前記定着装置７におけるヒータランプＨ１１に相当するヒータランプＨ１０１と、前記定着装置７におけるヒータランプＨ１２に相当するヒータランプＨ１０２とを挿入してこれらを相対的に位置調整可能とし、加圧ローラ７０４にも前記定着装置７におけるヒータランプＨ２に相当するヒータランプＨ２０を設け、加熱ローラ７０１の表面温度をサーミスタＴＳ１で、加圧ローラ表面温度をサーミスタＴＳ２で検出して、加熱ローラ表面温度、ひいては定着ベルト７０３の温度及び加圧ーラ表面温度を制御する定着装置であり、このタイプの定着装置においても、定着ベルト７０３の局部的過昇温を抑制しつつ記録媒体サイズに応じた定着ベルト領域で所定の定着温度を得ることができる。
【０１０５】
定着装置７０における各部の具体例として次のものを例示できる。
加熱ローラ７０１は、アルミニウム系材料からなる外径３０ｍｍ程度の筒状の金属ローラで厚みは０．８ｍｍ〜１．５ｍｍ程度のもの。
定着用ローラ７０２は、芯金７２ａに断熱層７２ｂを重ねた外径２５ｍｍ〜３５ｍｍ程度（ここでは３０ｍｍ程度）の２層層構成のローラであり、芯金７２ａはアルミニウム系又は鉄系材料で構成され、外径９ｍｍ〜３１ｍｍ程度（ここでは１８ｍｍ程度）であり、断熱層７２ｂはＪＩＳ硬度にして１度〜８０度、望ましくは５度〜３０度程度の硬度を有し、厚みが２ｍｍ〜８ｍｍ程度（ここでは６ｍｍ程度）のシリコーンゴム製のものである。
【０１０６】
定着ベルト７０３は、基材に弾性層を設け、その上に表層を設けたもので、基材はニッケル等の金属やＰＩ（ポリイミド）等の耐熱性樹脂で厚み５０μｍ〜５００μｍ程度に形成され、弾性層はＪＩＳ硬度にして１度〜８０度、望ましくは５度〜３０度程度の硬度のシリコーンゴム製のもので、厚みが１０μｍ〜８００μｍ、より好ましくは１００μｍ〜３００μｍ程度のものであり、表層はＰＦＡ、ＰＴＦＥ、ＦＥＰ、ＰＦＥＰ等のフッ素系樹脂で厚さ５μｍ〜１００μｍ程度に形成される。
【０１０７】
加圧ローラ７０４は筒状芯金７４ａに弾性層７４ｂ及び表層７４ｃを積層した３層構成のローラである。ここでは、芯金７４ａは鉄系材料（例えばＳＴＫＭ１２種）で、厚み１．０ｍｍ程度に形成され、弾性層７４ｂはシリコーンゴム製で厚み１．５ｍｍ〜５ｍｍ程度であり、ＪＩＳ硬度にして１度〜８０度、望ましくは５度〜３０度程度の硬度を有するものである。表層７４ｃはＰＦＡ、ＰＴＦＥ、ＦＥＰ、ＰＦＥＰ等のフッ素系樹脂で厚さ５μｍ〜１００μｍ程度に形成されている。
【０１０８】
以上説明した画像形成装置Ａはタンデム型のカラー画像形成装置であったが、本発明は他のタイプのカラー画像形成装置にも適用でき、また、本発明はモノクロ画像形成装置にも適用できる。
【産業上の利用可能性】
【０１０９】
本発明は、ウォームミングアップ時間の短縮化の妨げにならないようにして、また、熱エネルギーの効率的利用を妨げないようにして、定着回転体の局部的な過昇温を抑制しつつトナー像の記録媒体への定着処理を各種記録媒体サイズに対応して良好に行える定着装置を提供すること、及びそのような定着装置を備えた画像形成装置を提供することに利用できる。
【図面の簡単な説明】
【０１１０】
【図１】本発明に係る画像形成装置の１例の構成の概略を示す図である。
【図２】図１の画像形成装置における画像を形成する部分をより詳細に示す図である。
【図３】図１の画像形成装置における定着装置の拡大断面図である。
【図４】図３の定着装置に中央基準でＡ３Ｔ幅の記録媒体を通すときの左側及び右側のヒータランプの相対的配置関係を示す図である。
【図５】図３の定着装置に中央基準でＡ４Ｔ幅の記録媒体を通すときの左側及び右側のヒータランプの相対的配置関係を示す図である。
【図６】図４に示す左側及び右側のヒータランプの相対的配置関係状態における各ヒータランプの配光分布及び両ヒータの総配光分布を示す図である。
【図７】図５に示す左側及び右側のヒータランプの相対的配置関係状態における各ヒータランプの配光分布及び両ヒータの総配光分布を示す図である。
【図８】ヒータランプのリニア駆動機構を示す図である。
【図９】図３の定着装置に片側基準でＡ３Ｔ幅の記録媒体を通すときの左側及び右側のヒータランプの相対的配置関係を示す図である。
【図１０】図３の定着装置に片側基準でＡ４Ｔ幅の記録媒体を通すときの左側及び右側のヒータランプの相対的配置関係を示す図である。
【図１１】図１０に示す左側及び右側のヒータランプの相対的配置関係状態における各ヒータランプの配光分布及び両ヒータの総配光分布を示す図である。
【図１２】片側基準の定着装置における左側ヒータランプの他の例を示す図である。
【図１３】本発明に係る定着装置の他の例を示す図である。
【図１４】本発明に係る定着装置のさらに他の例を示す図である。
【符号の説明】
【０１１１】
Ａ  画像形成装置（複写機）
Ｓ  画像読取装置
ＰＡ  操作パネル
Ｋｅ  キー群
Ｄ  液晶表示部
ＡＤＦ  原稿自動搬送装置
ｇ１  ガラス板
ｇ２  ガラス板
ａ１  原稿載置トレイ
ａ２  原稿排出トレイ
Ｃ１〜Ｃ４  記録媒体収容カセット
ＣＳ  カセットＣ１〜Ｃ４を有する部分
Ｂ  画像形成を行う部分
Ｙ  イエロー画像形成部
Ｍ  マゼンタ画像形成部
Ｃ  シアン画像形成部
Ｋ  ブラック画像形成部
ＹＣ、ＭＣ、ＣＣ、ＫＣ  プロセスカートリッジ
１１  感光体
１２  帯電器
１３  画像露光装置
１４  現像器
１４１  現像ローラ
１５  クリーニング装置
２  １次転写ローラ
３１  駆動ローラ
３２  対向ローラ
４  中間転写ベルト
４０  クリーナ
５  ２次転写ローラ
６  タイミングローラ対
７  定着装置
７１  定着ローラ                                                                ７１１  芯金
７１２  弾性層
７１３  表層
７２  加圧ローラ
７２１  芯金
７２２  弾性層
７２３  表層
Ｈ１１、Ｈ１２  定着ローラのヒータランプ
Ｅ１１、Ｅ１２  ヒータランプ端部
Ｌｉ  リード線
Ｈ２  加圧ローラのヒータランプ
Ｎ  ニップ部
７００  リニア駆動機構
７０１  ランプホルダ
７０２  ラック
７０３  リニアステージ
７０４  ピニオン
７０５  ステッピングモータ
Ｔｓ１、Ｔｓ２  サーミスタ
Ｐ  記録媒体（記録紙等）
Ｔ  排出トレイ
７’  定着装置
７２’  加圧ローラ
７２２’  シリコンスポンジゴム層
７０  定着装置
７０１  加熱ローラ
７０２  定着用ローラ
７２ａ  芯金
７２ｂ  断熱層
７０３  定着ベルト
７０４  加圧ローラ
７４ａ  芯金
７４ｂ  弾性層
７４ｃ  表層
Ｈ１０１、Ｈ１０２  加熱ローラのヒータランプ
Ｈ２０  加圧ローラのヒータランプ
ＴＳ１、ＴＳ２  サーミスタ
【図１】
2009175494.tif 000003
【図２】
2009175494.tif 000004
【図３】
2009175494.tif 000005
【図４】
2009175494.tif 000006
【図５】
2009175494.tif 000007
【図６】
2009175494.tif 000008
【図７】
2009175494.tif 000009
【図８】
2009175494.tif 000010
【図９】
2009175494.tif 000011
【図１０】
2009175494.tif 000012
【図１１】
2009175494.tif 000013
【図１２】
2009175494.tif 000014
【図１３】
2009175494.tif 000015
【図１４】
2009175494.tif 000016